(57)【要約】【課題】防湿特性に優れた狭額縁の電気泳動表示装置、電気機器、電気泳動表示装置の製造方法を提供すること。【解決手段】素子基板２と、素子基板２より小面積の透明基板３０との間に電気泳動層３１を挟持してなる電気泳動シート３と、電気泳動シート３上に配置され、透明基板３０より大面積の保護基板４と、素子基板２上に配設された外部接続端子と、電気泳動シート３の外周面を被覆するように、素子基板２と保護基板４との間に充填された封止材６と、を備え、素子基板２が電気泳動シート３の外周側に張り出してなる封止領域の外部接続端子が配設されていない周縁において、素子基板２と保護基板４と封止材６との各側端面が平面視で一致しており、外部接続端子が封止領域から外周側に延設された縁片部２９上に接合され、外部接続端子の接合部が封止材６で被覆されている。【選択図】図２
2011215489.tif 000002
【特許請求の範囲】
【請求項１】
第１の基板と、
前記第１の基板に対向配置された、前記第１の基板より小面積の第２の基板と、
前記第１の基板と前記第２の基板との間に挟持された電気泳動層と、
前記第２の基板の電気泳動層対向面の反対面に配置され、前記第２の基板より大面積の第３の基板と、
前記第１の基板の電気泳動層対向面上に配設された外部接続端子と、
前記電気泳動層と前記第２の基板との外周面を被覆するように、前記第１の基板と前記第３の基板との間に充填された封止材と、を備え、
前記第１の基板が前記電気泳動層の外周側に張り出してなる封止領域の外部接続端子が配設されていない周縁において、前記第１の基板と前記第３の基板と前記封止材との各側端面が平面視で一致しており、
前記外部接続端子が前記封止領域から外周側に延設された縁片部上に接合され、前記外部接続端子の接合部が前記封止材で被覆されていることを特徴とする電気泳動表示装置。
【請求項２】
第１の基板の周縁に区画された縁片部上に外部接続端子を接合する第１工程と、
前記第１の基板の外部接続端子接合面上に、前記第１の基板よりも共に小面積の電気泳動層と第２の基板とを順次積層すると共に、前記第１の基板の前記縁片部が区画されていない周縁が前記電気泳動層の外周側に張り出して第１の封止領域を形成し、かつ、前記第１の基板の前記縁片部が区画された周縁が前記電気泳動層の外周側に張り出して第２の封止領域を形成するように、前記電気泳動層と前記第２の基板とを前記第１の基板上に配置する第２工程と、
前記第２の基板より大面積の第３の基板を前記第２の基板上に積層すると共に、
前記第２の封止領域に対向する前記第３の基板の周縁が前記電気泳動層の外周側へ張り出し、かつ、前記第３の基板の他の周縁が前記第１の封止領域の張出幅より大幅で前記電気泳動層の外周側にそれぞれ張り出すように、前記第３の基板を前記第２の基板上に配置する第３工程と、
前記第１の封止領域に、前記第３の基板側から前記第１の基板側へ向けて封止材を充填し、当該領域の前記電気泳動層と前記第２の基板との外周面を被覆する第４工程と、
前記第２の封止領域に、前記第１の基板側から前記第３の基板側へ向けて封止材を充填し、当該領域の前記電気泳動層と前記第２の基板との外周面と、前記縁片部上の接合部とを被覆する第５工程と、
前記封止材を硬化させる第６工程と、
前記第１の封止領域の前記第１の基板と前記封止材と前記第３の基板との各側端面が平面視で一致するように、当該領域の前記封止材と前記第３の基板との各端部を除去する第７工程と、を備えることを特徴とする電気泳動表示装置の製造方法。
【請求項３】
請求項１記載の電気泳動表示装置を備えたことを特徴とする電子機器。
【発明の詳細な説明】
【技術分野】
【０００１】
本発明は、電気泳動表示装置、電気泳動表示装置の製造方法、電子機器に関するものである。
【背景技術】
【０００２】
近年、電子ペーパーなどの表示部として、電気泳動表示装置が用いられるようになっている。電気泳動表示装置は、液相分散媒に複数の電気泳動粒子が分散された電気泳動分散液を有する構成になっている。電気泳動表示装置は、電界を印加することで該電気泳動粒子の分布状態が変化し、該電気泳動分散液の光学特性が変化することを表示に利用した装置である。電気泳動表示装置の具体的な構成としては、素子基板の表示領域に電気泳動シートが貼り付けられ、当該電気泳動シート上に保護基板が貼り合わされた構成が知られている。
【０００３】
電気泳動シートはＩＴＯなどの透明電極が蒸着された透明シート上に電気泳動層及び接着層が形成された構成になっている。電気泳動層としては、例えば、電気泳動粒子を含む電気泳動分散液が封入された複数のマイクロカプセルを当該シート一面に敷き詰めた構成が挙げられる。
【０００４】
マイクロカプセルを有する電気泳動表示装置は、マイクロカプセルに保持される水分が多すぎても少なすぎても表示特性に悪影響を及ぼしてしまう。このため、電気泳動層の封止構造が不十分な状態では、電気泳動表示装置の使用環境の温湿度変化によって表示特性が劣化しやすくなってしまうことが知られている。
【０００５】
これに対して、電気泳動表示装置の周辺からの水分の出入りを極力減らした防湿性の高い封止構造が提案されている。一般的には、樹脂材料によって電気泳動層の周囲を囲うことで、当該電気泳動層を封止する構成が知られている。例えば、特許文献１には、一対の基板間に電気泳動層を挟持してなる表示素子の外周にスペーサを配し、保護膜で当該表示素子とスペーサとを封止することで防湿性を確保し、当該表示素子の一方の基板を封止領域外にまで延長させて張出部とし、この張出部上に端子部を配することで外部接続を行う構成が提案されている。
【先行技術文献】
【特許文献】
【０００６】
【特許文献１】特開２００７−１９９６７０号公報
【発明の概要】
【発明が解決しようとする課題】
【０００７】
ところで、電気泳動表示装置の表示特性を生かしてカード等への応用を考えた場合には、限られた空間を有効活用できるように表示素子の周辺領域の省面積化、すなわち狭額縁化が要求される。
しかしながら、上記の構成においては、電気泳動層を包囲する保護膜を封止するための貼り付け部と外部接続のための張出部とが、表示領域の周辺に設けられており、これらの部位は封止材を配置するための糊代分として不可欠であるために、表示素子の周辺部（額縁部）の省面積化が困難であるという問題があった。
【０００８】
本発明は、上記従来技術の問題点に鑑み成されたものであって、防湿特性に優れた狭額縁の電気泳動表示装置、電気機器、電気泳動表示装置の製造方法、を提供することを目的としている。
【課題を解決するための手段】
【０００９】
本発明の電気泳動表示装置は、上記課題を解決するために、第１の基板と、前記第１の基板に対向配置された、前記第１の基板より小面積の第２の基板と、前記第１の基板と前記第２の基板との間に挟持された電気泳動層と、前記第２の基板の電気泳動層対向面の反対面に配置され、前記第２の基板より大面積の第３の基板と、前記第１の基板の電気泳動層対向面上に配設された外部接続端子と、前記電気泳動層と前記第２の基板との外周面を被覆するように、前記第１の基板と前記第３の基板との間に充填された封止材と、を備え、前記第１の基板が前記電気泳動層の外周側に張り出してなる封止領域の外部接続端子が配設されていない周縁において、前記第１の基板と前記第３の基板と前記封止材との各側端面が平面視で一致しており、前記外部接続端子が前記封止領域から外周側に延設された縁片部上に接合され、前記外部接続端子の接合部が前記封止材で被覆されていることを特徴とする。
【００１０】
本発明によれば、電気泳動層の上下面は第１の基板と第３の基板とにより、その外周面は封止領域に充填された封止材により、それぞれ封止されることになるので、周辺からの水分の出入りを極力減らした防湿性の高い封止構造となる。
また、電気泳動層の外周面を被覆するように、第１の基板と第３の基板との間に封止材を充填することにより、外部接続端子が配設されていない辺縁においては、封止領域以外の周辺領域がない。そして、第１の基板と第３の基板と封止材との各側端面が平面視で一致する構成により、封止領域の封止幅を電気泳動層の防湿に必要とされる最低限のものにできる。
一方、外部接続端子が配設されている辺縁においては、封止領域から延設された縁片部上で外部接続端子を接合し、その接合部を封止材で被覆するため、封止領域との接合部との間の面積を節約でき、外部接続のための額縁領域が小さくなる。加えて、接合部が封止材で被覆されているので、外部接続端子がより強固に第１の基板に接続され、接続信頼性が高くなる。
よって、本発明の構成によれば、防湿性と信頼性とに優れた狭額縁の電気泳動表示装置となる。
【００１１】
本発明の電気泳動表示装置の製造方法は、上記課題を解決するために、第１の基板の周縁に区画された縁片部上に外部接続端子を接合する第１工程と、前記第１の基板の外部接続端子接合面上に、前記第１の基板よりも共に小面積の電気泳動層と第２の基板とを順次積層すると共に、前記第１の基板の前記縁片部が区画されていない周縁が前記電気泳動層の外周側に張り出して第１の封止領域を形成し、かつ、前記第１の基板の前記縁片部が区画された周縁が前記電気泳動層の外周側に張り出して第２の封止領域を形成するように、前記電気泳動層と前記第２の基板とを前記第１の基板上に配置する第２工程と、前記第２の基板より大面積の第３の基板を前記第２の基板上に積層すると共に、前記第２の封止領域に対向する前記第３の基板の周縁が前記電気泳動層の外周側へ張り出し、かつ、前記第３の基板の他の周縁が前記第１の封止領域の張出幅より大幅で前記電気泳動層の外周側にそれぞれ張り出すように、前記第３の基板を前記第２の基板上に配置する第３工程と、前記第１の封止領域に、前記第３の基板側から前記第１の基板側へ向けて封止材を充填し、当該領域の前記電気泳動層と前記第２の基板との外周面を被覆する第４工程と、前記第２の封止領域に、前記第１の基板側から前記第３の基板側へ向けて封止材を充填し、当該領域の前記電気泳動層と前記第２の基板との外周面と、前記縁片部上の接合部とを被覆する第５工程と、前記封止材を硬化させる第６工程と、前記第１の封止領域の前記第１の基板と前記封止材と前記第３の基板との各側端面が平面視で一致するように、当該領域の前記封止材と前記第３の基板との各端部を除去する第７工程と、を備えることを特徴とする。
【００１２】
本発明の製造方法によれば、第１の封止領域において、第１の基板と封止材と第３の基板との各側端面が平面視で一致するように、第１の基板端面より外周側に張り出した封止材と第３の基板との余剰部を、第７工程で除去するので、第１の封止領域の封止幅を電気泳動層の防湿に必要な最低限の寸法にできる。第２の封止領域において、電気泳動層と第２の基板のとの外周面の封止と同時に縁片部上の接合部を、第５工程で被覆するので、縁片部の面積を節約して、外部接続のための周辺領域を小さくできるばかりでなく、外部接続端子をより強固に第１の基板に接続できる。
よって、本発明の製造方法によれば、防湿性と信頼性とに優れた狭額縁の電気泳動表示装置が製造できる。
【００１３】
本発明の電子機器は、先に記載の電気泳動表示装置を備えたことを特徴とする。本発明によれば、防湿特性と信頼性とに優れた狭額縁の電気泳動表示措置を備えているので、信頼性に優れ、省スペースの電子機器とすることができる。
【図面の簡単な説明】
【００１４】
【図１】本発明の一実施形態に係る電気泳動表示装置の構成を示す平面図。
【図２】図１のＡ−Ａ断面図。
【図３】電気泳動表示の製造過程を示す工程図。
【図４】同、工程図。
【図５】同、工程図。
【図６】同、工程図。
【図７】同、工程図。
【図８】同、工程図。
【図９】同、工程図。
【図１０】電子機器の一例を示す図。
【図１１】電子機器の一例を示す図。
【図１２】電子機器の一例を示す図。
【発明を実施するための形態】
【００１５】
以下、本発明の実施形態につき、図面を参照して説明する。なお、以下の説明に用いる各図面では、各部材を認識可能な大きさとするため、各部材の縮尺を適宜変更している。
図１は、本発明の一実施形態である電気泳動表示装置の全体構成を示す平面図である。図２は、図１におけるＡ−Ａ断面に沿った構成を示す断面図である。
【００１６】
図１および図２に示すように、電気泳動表示装置１は、電気泳動表示パネル１０、素子基板２、電気泳動シート３、保護基板４、封止材６、接続基板１１を備えている。電気泳動表示パネル１０は、素子基板２上に電気泳動シート３が貼り付けられた構成になっており、電気泳動シート３の透明基板３０上には保護基板４が配置されている。電気泳動シート３を包囲するように設けられた封止領域５には封止材６が充填されており、電気泳動シート３が封止されている。素子基板２の一辺縁２ａは縁片部２９とされ、接続基板１１が接続されており、その接合部１１ａは封止材６で被覆されている。
【００１７】
電気泳動表示装置１は、平面視で画素電極２５の配列された領域が表示領域７となっている。表示領域７では、平面視における各画素電極２５の形成領域が画素領域となっており、画素領域毎に静止画や動画等の画像が表示されるようになっている。表示領域７の周囲は、画像が表示されない非表示領域８となっている。
【００１８】
素子基板２は、基材２０、素子形成層２１および電極２２を有している。基材２０は、例えば３０μｍ〜１００μｍ程度の厚さを有する板状部材である。基材２０の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００１９】
素子形成層２１は、基材２０の内面２０ａのうち平面視で電気泳動シート３に重なる領域に設けられた層である。素子形成層２１は、絶縁層２４、画素電極２５及びスイッチング素子２６を有している。画素電極２５は、平面視で例えばマトリクス状に配置された電極である。スイッチング素子２６は、画素電極２５ごとに設けられた素子である。スイッチング素子２６には、不図示のデータ線及び走査線などが接続されている。絶縁層２４は、これら各部を覆うように基材２０上に形成されている。
【００２０】
電極２２は、素子基板２の縁片部２９上に設けられており、不図示の配線群が接続されて、例えば上記走査線やデータ線などに接続されている。また、電極２２には、電気泳動表示装置１を駆動する不図示の回路などを有する接続基板１１が接続されている。
【００２１】
電気泳動シート３は、透明基板３０、共通電極３５、電気光学素子としての電気泳動層３１及び接着層３３を有している。
透明基板３０は電気泳動層３１を保持する、光透過性を有する基板であり、例えば２５μｍ〜２００μｍ程度の厚さを有している。透明基板３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。例えば透明基板３０の表面３０ａには、不図示の防湿シートなどが配置されていても構わない。
【００２２】
共通電極３５は例えばＩＴＯなどの光透過性の高い導電材料で構成された電極である。共通電極３５は透明基板３０の内面３０ｂのほぼ全面に亘って形成されている。共通電極３５には上下導通材９が接続されている。上下導通材９は素子基板２に電気的に接続されている。共通電極３５は、上下導通材９を介して素子基板２に電気的に接続された状態になっている。
【００２３】
電気泳動層３１は、複数のマイクロカプセル３２を有している。
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液層分散媒とからなる。
【００２４】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００２５】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２６】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００２７】
接着層３３は、バインダを兼ねた接着剤である。接着層３３としては、例えばマイクロカプセル３２のカプセル壁膜に対する親和性が良好で、共通電極および画素電極に対する接着性に優れ、かつ絶縁性の良い接着剤を用いることが好ましい。
【００２８】
上記構成の電気泳動シート３が接着層３３を介して素子基板２の内面２０ａ上に貼り合わされ、さらに最外面に保護基板４が配置されることで電気泳動表示パネル１０が構成されることとなる。
保護基板４は、透明基板３０の表面３０ａ上に配置された基板であり、素子基板２及び透明基板３０と共に電気泳動層３１を覆う構成になっており、当該構成によって電気泳動層３１に水分の浸入がより確実に防止されるようになっている。
保護基板４の構成材料としては、光透過性が高く、平坦度が優れ、キズつきにくい材料、例えばアクリル樹脂などが挙げられる。アクリル樹脂の他には、例えばガラスなどが適している。具体的には、無機ガラスや、クリスタルガラス、サファイヤガラスや、アクリルガラスなどを用いることができる。
【００２９】
封止領域５は、電気泳動シート３を包囲してなり、電気泳動シート３の外周側に張り出した素子基板２からなる。封止領域５は、素子基板２の辺縁２ａが電気泳動シート３よりも外周側に張り出してなる第２の封止領域５２と、素子基板２の他の辺縁２ｂ、２ｃ、２ｄが電気泳動シート３の外周側に張り出してなる第１の封止領域５１とに区分される。第２の封止領域５２には、素子基板２の辺縁２ａが保護基板４の辺縁４ａよりも外周側へ張り出してなる縁片部２９を備えており、縁片部２９の内面に形成された電極２２に接続基板１１が接続されている。第１の封止領域５１には第１封止材６１が、第２の封止領域５２には第２封止材６２が、それぞれ配置されている。
【００３０】
封止材６は、電気泳動層３１を封止する部分である。封止材６は、第１封止材６１および第２封止材６２を有しており、電気泳動シート３の側面を被覆するように形成されている。封止材６の材料としては、例えばエポキシ樹脂などの樹脂材料が挙げられる。第１封止材６１及び第２封止材６２は、同一の材料からなる。ただし、第１封止材６１と第２封止材６２とが、異なる成分を含む材料から構成されていてもよい。
【００３１】
第１封止材６１は、第１の封止領域５１に配置されており、電気泳動表示パネル１０の接続基板１１が接続されていない３辺縁１０ｂ、１０ｃ、１０ｄの電気泳動層３１の側部を直接封止していると共に、素子基板２と保護基板４とで挟まれた空間を封止している。また、電気泳動表示パネル１０の各３辺縁１０ｂ、１０ｃ、１０ｄにおいて、第１封止材６１の各側端面６１ｂ、６１ｃ、６１ｄが、素子基板２の各辺縁の２ｂ、２ｃ、２ｄおよび保護基板４の各辺縁４ｂ、４ｃ、４ｄと平面視で一致する。
【００３２】
第２封止材６２は、第２の封止領域５２に配置されており、電気泳動表示パネル１０の接続基板１１が接続されている辺縁１０ａの電気泳動シート３の側部を直接封止していると共に、素子基板２と保護基板４とで挟まれた空間を封止している。さらに、第２封止材６２は、接続基板１１の縁片部２９との接合部１１ａを被覆するように配置されており、素子基板２に接続基板１１を強固に固定している。
【００３３】
第１封止材６１および第２封止材の封止幅は、電気泳動層３１の防湿に必要とされる最低限の寸法とされ、素子基板２、電気泳動シート３、保護基板４、接合部１１ａに対して十分な接着強度を確保することのできる幅に適宜変更が可能である。
【００３４】
次に、上記のように構成された電気泳動表示装置１の動作を簡単に説明する。
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域７にはこの白色の電気泳動粒子の色（白色）が表示されることとなる。
【００３５】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域７には黒色の電気泳動粒子の色（黒色）が表示されることとなる。
【００３６】
本実施形態によれば、電気泳動層３１の外側面は、第１の封止領域５１および第２の封止領域５２に充填された第１封止材６１および第２封止材６２で被覆されると共に、電気泳動層３１の上面は保護基板４で保護されているので、周辺の水分の出入りを極力減らした防湿性の高い封止構造となる。
【００３７】
また、電気泳動表示パネル１０の接続基板１１が接続されている辺縁１０ａ以外の３辺縁１０ｂ、１０ｃ、１０ｄにおいては、電気泳動層３１を包囲するように
設けられた第１の封止領域５１に第１封止材６１を充填して、電気泳動層３１を直接封止する構成とすることで、第１の封止領域５１外の周辺領域が不要となる。さらに、電気泳動表示パネル１０の３辺縁１０ｂ、１０ｃ、１０ｄにおいて、素子基板２と第１封止材６１と保護基板４との各側端面が平面視で一致する構成にすることで、第１の封止領域５１の封止幅を電気泳動層３１の防湿に必要な最低限の寸法にできる。これにより、封止領域の面積をも減少させることができる。
【００３８】
一方、電気泳動表示パネル１０の接続基板１１が接続された辺縁１０ａにおいては、外部接続のための縁片部２９を第２の封止領域５２内に収容し、電気泳動層３１を封止する第２封止材で接合部１１ａを被覆することで、外部接続に必要とされる接続領域の面積を減少させることができる。これにより狭額縁のパネルとなる。
さらに、第２封止材６２で接合部１１ａを素子基板２に強固に固着できるので、接合強度が向上し、信頼性が向上する。
よって、本発明の構成によれば、防湿性と信頼性とに優れた狭額縁の電気泳動表示装置となる。
【００３９】
次に、図３から図９を参照して、上記のように構成された電気泳動表示装置１の製造方法を説明する。
（第１工程）
まず、基材上に配線や素子形成層などを配置して素子基板２を形成する。ついで、この素子基板２の一辺縁２ａの所定領域を縁片部２９として区画し、この領域内に外部接続のための電極２２を形成する。この後、図３に示すように、この縁片部２９に接続基板１１を熱圧着などで接続する。
【００４０】
（第２工程）
図４に示したように、素子基板２の接続基板１１が接続された内面２０ａの表示領域に、透明基板３０にマイクロカプセル３２を有する電気泳動層３１を積層した電気泳動シート３を接着層３３で貼り合わせる。この際に、素子基板２の縁片部２９が区画されていない３辺縁２ｂ、２ｃ、２ｄ（辺縁２ｂ、２ｄ：図１参照）において、電気泳動シート３の外周側に第１の封止領域５１が所定の封止幅５１ｒで張り出すように、電気泳動シート３は素子基板２より小面積とし、素子基板２と電気泳動シート３との間で位置合わせを行う。
【００４１】
これと同時に、電気泳動シート３の外周側に張り出した辺縁２ａで第２の封止領域５２が形成されるように、素子基板２と電気泳動シート３との間で位置合わせを行う。この際に、電気泳動シート３の側端面３ａと、これに対向する接続基板１１の接合部１１ａとの距離ｒが、後の工程において形成される第２封止材６２の封止幅５２ｒと縁片部２９の幅２９ｒの合計よりも小さくなるようにする。これにより、第５工程で第２の封止領域５２に第２封止材６２を滴下した際に、接合部１１ａが第２封止材６２で必ず被覆されることとなる。
【００４２】
（第３工程）
図５に示すように、電気泳動シート３の透明基板３０の表面３０ａ上に、接着層３６を形成し、この接着層３６上に電気泳動シート３よりも大面積の保護基板４を貼り合わせる。この際に、保護基板４の辺縁のうち、第２の封止領域５２に対向する辺縁４ａが電気泳動シート３の側端面３ａより外周側に張り出すように位置合わせを行う。辺縁４ａの張出幅４２ｒは、第２封止材６２が必要とする封止幅とする。
また同時に、保護基板４の他の辺縁４ｂ、４ｃ、４ｄ（辺縁４ｂ、４ｄ：図１参照）が、第１の封止領域５１の封止幅５１ｒよりも大きな幅４１ｒで張り出した余剰部４０を形成するように、電気泳動シート３と保護基板４との間で位置合わせを行う。
【００４３】
（第４工程）
図６に示すように、第１の封止領域５１に、第１封止材６１をディスペンサー等によって素子基板２側から保護基板４側へ向かって滴下して、素子基板２と保護基板４との間に第１封止材６１を充填する。第１封止材６１を滴下するためのノズルスペースは保護基板４が素子基板２よりも外周側に張り出してなる余剰部４０を利用する。これにより、第１の封止領域５１の電気泳動シート３の側端面３ｂ、３ｃ、３ｄ（側端面３ｂ、３ｄ：図１参照）が、封止幅５１ｒ以上の封止幅で第１封止材６１により封止される。
【００４４】
（第５工程）
図７に示すように、第２の封止領域５２に、第２封止材６２をディスペンサー等によって保護基板４側から素子基板２側へ向かって滴下して、素子基板２と保護基板４との間に第２封止材６２を充填する。第２封止材６２を滴下する際のノズルスペースは第２の封止領域５２が利用できる。これにより、電気泳動シート３の側端面３ａが第２封止材６２で封止される。この際に、第２封止材６２は第２封止領域に封止幅５２ｒで配置されるが、電気泳動シート３の側端面３ａと接合部１１ａとの距離ｒは、これよりも小さく設定されているために、接合部１１ａも同時に第２封止材６２によって被覆される。これにより、接合部１１ａがより強固に素子基板２に固定される。
【００４５】
（第６工程）
各封止材に適した硬化処理、例えば紫外線照射や加熱、あるいはこれらを組み合わせた処理等によって、第１封止材６１と第２封止材６２とを硬化させる。
【００４６】
（第７工程）
図８に示すように、第１の封止領域５１において、第１封止材６１の側端面と保護基板４との側端面とが、素子基板２の辺縁と平面視で一致するように、余剰部４０と、そこに配置された第１封止材６１とを共に除去して、図９に示した電気泳動表示パネル１０とする。
これにより、電気泳動表示パネル１０の辺縁１０ｂ、１０ｃ、１０ｄ（辺縁１０ｂ、１０ｄ：図１参照）においては、第１の封止領域５１のみが周辺領域として残り、その封止幅５１ｒが電気泳動層３１の防湿に必要とされる最低寸法にできる。よって、狭額縁の電気泳動表示装置１が得られる。
【００４７】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００４８】
上記実施形態では、第２工程で素子基板２上に電気泳動シート３を積層した後、第３工程で電気泳動シート３上に保護基板４を積層したが、これに限られることはなく、第２工程と第３工程とは、工程順を逆にしてもよい。すなわち、予め電気泳動シート３に保護基板４を接着した積層体を用意し、この積層体を保護基板４上に貼り合わせてもよい。そして、電気泳動シート３と保護基板４との接着の際には、第３工程で必要とされる位置合わせを行い、積層体を保護基板４に接着する際に、第２工程で必要とされる位置合わせを行うようにすれば良い。
【００４９】
上記実施形態においては、耐湿性が求められる表示装置の例として電気泳動表示装置１の構成を例に挙げて説明したが、これに限られることは無く、耐湿性が求められる他の表示装置、例えば有機EL装置や無機EL装置に対して本発明を適用させても同様の効果を得ることができる。
【００５０】
［電子機器］
次に、上記実施形態の電気泳動表示装置１を、電子機器に適用した場合について説明する。
図１０は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００５１】
図１１は電子ペーパー１１００の構成を示す斜視図である。電子ペーパー１１００は、上記実施形態の電気泳動表示装置１を表示領域１１０１に備えている。電子ペーパー１１００は可撓性を有し、従来の紙と同様の質感及び柔軟性を有する書き換え可能なシートからなる本体１１０２を備えて構成されている。
【００５２】
図１２は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００５３】
以上の腕時計１０００、電子ペーパー１１００、及び電子ノート１２００によれば、装置内部へ封止幅を広げることなく、電気泳動表示装置の信頼性を高めることが可能な電気泳動表示装置１を搭載したので、優れた表示特性を有する電子機器１０００、１１００、１２００を得ることができる。
【００５４】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００５５】
１…電気泳動表示装置、２…素子基板、２ａ、２ｂ、２ｃ、２ｄ…辺縁、３…電気泳動シート、４…保護基板、４ａ…辺縁、５…封止領域、６…封止材、１０…電気泳動表示パネル、１０ａ、１０ｂ、１０ｃ、１０ｄ…辺縁、１１…接続基板、１１ａ…接合部、２９…縁片部、３０…透明基板、３１…電気泳動層、４０…余剰部、５１…第１の封止領域、５２…第２の封止領域、６１…第１封止材、６２…第２封止材、１０００…腕時計、１１００…電子ペーパー、１２００…電子ノート。
【図１】
2011215489.tif 000003
【図２】
2011215489.tif 000004
【図３】
2011215489.tif 000005
【図４】
2011215489.tif 000006
【図５】
2011215489.tif 000007
【図６】
2011215489.tif 000008
【図７】
2011215489.tif 000009
【図８】
2011215489.tif 000010
【図９】
2011215489.tif 000011
【図１０】
2011215489.tif 000012
【図１１】
2011215489.tif 000013
【図１２】
2011215489.tif 000014